(57)【要約】包装袋（１）の開口部（２）側には咬合具（１１）が貼られ、咬合具（１１）より外側にはヒートシール部（１２）が形成され、包装袋（１）は密封される。咬合具（１１）とヒートシール部（１２）との間の領域には、包装袋（１）の内側の一方の面に開口部（２）と平行に帯状の開封テープ（３）が貼られる。開封テープ（３）の端部の包装袋（１）には、開封テープ（３）が貼られた面の反対側の面に切欠部（４）が形成される。開封テープ（３）の端部の包装袋（１）には一対の切込部（５）が形成される。
2003051729.tif 000002
【特許請求の範囲】
【請求項１】
包装袋の開口部側に開封テープが設けられる開封テープ付密封袋であって、
前記包装袋の内側の一方の面に、前記開口部に平行に貼着される帯状の開封テープを備え、前記包装袋の前記開封テープの端部側には、前記開封テープの貼着面の反対側の面に切欠部が形成されていることを特徴とする開封テープ付密封袋。
【請求項２】
請求項１に記載の開封テープ付密封袋において、
前記包装袋および／または前記開封テープには、前記開封テープの端部から切り込まれて終端部が前記開封テープの内側に位置する一対の切込部が形成されていることを特徴とする開封テープ付密封袋。
【請求項３】
請求項１または請求項２に記載の開封テープ付密封袋において、
前記切込部は、前記開封テープに対して傾斜配置され、各々の切込みの基端部側が前記開封テープの外側に配置されていることを特徴とする開封テープ付密封袋。
【請求項４】
請求項１から請求項３の何れかに記載の開封テープ付密封袋において、
前記開封テープは、長尺方向に一軸延伸加工されていることを特徴とする開封テープ付密封袋。
【請求項５】
請求項１から請求項４のいずれかに記載の開封テープ付密封袋において、
前記開封テープは、ポリオレフィン系樹脂製であることを特徴とする開封テープ付密封袋。
【請求項６】
請求項５に記載の開封テープ付密封袋において、
前記ポリオレフィン系樹脂は、ポリエチレン系樹脂であることを特徴とする開封テープ付密封袋。
【請求項７】
請求項５に記載の開封テープ付密封袋において、
前記ポリオレフィン系樹脂は、ポリプロピレン系樹脂であることを特徴とする開封テープ付密封袋。
【請求項８】
請求項１から請求項７のいずれかに記載の開封テープ付密封袋において、
雌雄一対の部材の部材からなる咬合具が、袋内面側にそれぞれ貼着されていることを特徴とする開封テープ付密封袋。
【発明の詳細な説明】
技術分野
本発明は、開封テープ付密封袋に関する。詳しくは、食品、医薬品等を包装する包装袋の開口部側に設けられる開封テープ付密封袋に関する。
背景技術
従来、袋の開封部に雄型咬合具と雌型咬合具より成る咬合具（嵌合具）を設けることにより、開閉自在とした袋（チャック袋）が食品、医薬品、雑貨等の多くの分野で使用されている。このような咬合具付袋でも、販売時点までは完全密閉されていることが望ましく、咬合部分に沿って端部を完全に密封することが一般的である。密封シールされる咬合具付袋では、使用時に咬合具と開口側シール部分との間を切断し、その後は咬合具部分で開封、再密封することが一般的である。
密封シールされる袋の開封には、利用者が従来の鋏を使って切断する方法の他、切断すべき部分の側端から手で引き裂く方法が採られる。手で引き裂く操作を容易にするために、袋の側端にノッチを形成することもなされている。
しかし、鋏の使用は面倒であり、且つ鋏がないと切れないという欠点がある。また、ノッチから引き裂く切断の仕方によれば直線状にきれいに切れないという欠点がある。そこで、近年では、鋏等の道具を使うことなく手で直線状に引き裂くための手段として、例えば次のような手段が提案されている。
手段１；引き裂き線として開口部側にミシン目を形成する。
手段２；袋体を構成するラミネートフィルムの内面側フィルムを肉厚に形成すると共に、この内面側フィルムに咬合具を形成し、且つこの内面側フィルムの咬合具よりも端縁側に切り込み線を形成する（実公昭５２−１８２５４号公報参照）。
手段３；特殊な形状の切断線を形成する（実開昭６２−１３８３８号公報参照）。
しかしながら、前述した各手段には次のような問題がある。
手段１では、ミシン目のため密封性が低く、輸送時等において何らかの原因で開封してしまうという問題がある。
手段２では、切り込み線の形成された内面側フィルム単体のままではきれいに裂けても、これを基材フィルムに熱溶着した場合、熱の影響で切り込み線が埋まって引き裂きにくくなるという問題がある。
手段３では、密封性が不充分であり、且つ特殊な切断線を形成するための工程が複雑になるという問題がある。
発明の開示
本発明の主な目的は、使用前の密封性が確実であり、且つ、手による切断開封を容易に行うことができる開封テープ付密封袋を提供することにある。
本発明は、包装袋の開口部側に開封テープが設けられる開封テープ付密封袋であって、前記包装袋の内側の一方の面に、前記開口部に平行に貼着される帯状の開封テープを備え、前記包装袋の前記開封テープの端部側には、前記開封テープの貼着面の反対側の面に切欠部が形成されていることを特徴とする。
ここで、開封テープの貼着は、接着剤を用いた接着やヒートシール等による熱溶着により行われる。本発明のテープとしては幅広いものに限らず、幅の狭いものであってもよく、引き裂きガイド効果が得られれば紐状のものであってもよい。テープとしては、ある程度幅が狭いほうが引き裂きガイド効果が高くなる。但し、幅が広ければ、薄くても引っ張り強度が得られる。幅を狭くする場合、厚みを増す等すれば強度が確保でき、断面が楕円形ないし円形のいわゆる紐状にしてもよい。
このような本発明によれば、包装袋の内側の一方の面に、前記開口部に平行に貼着される帯状の開封テープを備えて構成されることにより、ミシン目等を設ける構造でないため、外部との隙間が生じないので、包装袋の開封前の密封性を確実にすることができる。
また、包装袋の前記開封テープの端部側には、開封テープの貼着面の反対側の面に切欠部が形成されていることにより、切欠部がある部分は、開封テープと包装袋の一方の面だけになるから、切込部で開封テープ端部が露出するので、容易に、切込部を起こすことができる。
本発明の開封テープ付密封袋では、前記包装袋および／または前記開封テープには、前記開封テープの端部から切り込まれて終端部が前記開封テープの内側に位置する一対の切込部が形成されていることが望ましい。
このような本発明によれば、前記包装袋および／または前記開封テープの前記開封テープ端部側に一対の切込部が形成されていることにより、この切込部に挟まれた部分がタブ状となり、包装袋の開封時にこのタブ状の部分をそのままつまみ部分として把持することができるので、手による切断開封を容易に行うことができる。
本発明の開封テープ付密封袋では、前記切込部は、前記開封テープに対して傾斜配置され、各々の切込みの基端部側が前記開封テープの外側に配置されていることが望ましい。
このような本発明によれば、切込部が傾斜していることにより、開封テープの貼着の位置が多少ずれていても、包装袋の一方の面と開封テープに確実に切込部を形成することができる。特に、一対の切込部は袋の奥側（切断が進む方向）に向かうにしたがって、互いに近接する状態となり、切断線を所定の位置（開封テープの中心線など）に誘導することができ、手による切断であっても所定の切断状態を確実に確保することができる。
本発明の開封テープ付密封袋では、前記開封テープは、長尺方向に一軸延伸加工されていることが好ましい。
ここで、延伸とは、繊維状あるいはフィルム状の高分子材料を物理的に引き伸ばすことをいう。これにより、高分子材料の強度や弾性率の向上をはかることができ、結晶性高分子をガラス転移温度以上、融点以下の温度で延伸すると、非晶部分の分子が延伸方向に引き伸ばされ、結晶化度が増すとともに、分子が延伸方向に配向する。その結果、延伸方向の引張強度や引張弾性率が大きくなる。一軸延伸とは、ある一定方向に引き伸ばすことをいい、例えば、フィルムを一軸延伸すると、延伸方向の強度が垂直方向に比べて増加し，異方性材料となり、さらに、引き裂いた場合には、延伸方向に引き裂かれる指向性が強くなる。
これにより、延伸倍率は、５倍以上、好ましくは８〜１２倍がよい。開封テープは、長尺方向に一軸延伸加工されていることにより、引き裂きの指向性が強くなるので、開封テープの長尺方向に沿って直線的に開封することができる。
本発明の開封テープ付密封袋では、前記開封テープは、ポリオレフィン系樹脂製であることが好ましく、そのなかでも、ポリオレフィン系樹脂は、ポリエチレン系樹脂またはポリプロピレン系樹脂が好ましい。
ここで、ポリオレフィン系樹脂としては、ポリエチレン、ポリプロピレン、ポリブテン等がある。
ポリエチレン系樹脂としては、直鎖状低密度ポリエチレン（ＬＬＤＰＥ）、高密度ポリエチレン（ＨＤＰＥ）、低密度ポリエチレン（ＬＤＰＥ）等が挙げられる。
ポリプロピレン系樹脂としては、ポリプロピレンとしては、ホモポリプロピレン、ランダムポリプロピレン、ブロックポリプロピレン等が挙げられる。
これによれば、開封テープは、ポリオレフィン系樹脂製であることにより、ポリオレフィン系樹脂は熱可塑性を備えるので、成形、延伸等の加工が容易である。
また、ポリエチレン系樹脂は、防湿性，耐水性，耐寒性，耐薬品性に優れ柔軟であり、液状の被包装体を包装する際に好適である。
さらに、ポリプロピレン系樹脂は、比重が小さくので、包装袋自体の重さを軽くすることができる。
本発明の開封テープ付密封袋では、雌雄一対の部材の部材からなる咬合具が、袋内面側にそれぞれ貼着されていることが好ましい。
これによれば、雌雄一対の部材の部材からなる咬合具が、袋内面側にそれぞれ貼着されていることにより、咬合具は、再開閉可能であるので、袋の密封性を保持することができる。
発明を実施するための最良の形態
以下、本発明の実施の形態を図面に基づいて説明する。
図１には、本発明の一実施形態に係る包装袋１が示されている。
包装袋１は、矩形状のポリエチレンシート１０Ａ（図示表側）、１０Ｂ（図示裏側）の４辺をヒートシール等で封止されて構成されている。これら封止された部分は、ヒートシール部１２となる。また、矩形状の包装袋１の１辺が、開口部２とされている。
開封テープ３は、ポリオレフィン系樹脂製の幅のあるテープであり、開口部２側に、ポリエチレンシート１０Ｂの面に、ヒートシール等で溶着されることにより、貼着され、長尺方向に一軸延伸加工されている。
切欠部４は、包装袋１の開封テープ３の端部側で、開口部２側に、ポリエチレンシート１０Ａの面に矩形状に、形成されている。
切込部５は、開封テープ３の端部側に、ポリエチレンシート１０Ｂから開封テープ３の端縁に対して傾斜し、開封テープ３の内側まで達するように形成されている。また、切込部５は、切欠部４の範囲内に形成されている。なお、切欠部４および切込部５は、本実施形態では、開口部２に直交する２辺のヒートシール部１２の両方に設けられている。
咬合具１１は、開口部２側の開封テープ３の下側に、ポリエチレンシート１０Ａ、１０Ｂの両面に、それぞれ、雌雄一対の部材が、ヒートシール等で貼着されている。また、咬合具１１は、包装袋１の内面に貼着されている。ここで、咬合具１１は、ポリエチレン製である。
切欠部４は、図２に示すように、開口部２側に、ポリエチレンシート１０Ａの面に矩形状に、形成され、切込部５は、開封テープ３端部側に位置し、開封テープ３よりも外側に位置し、かつ、ポリエチレンシート１０Ｂ上に位置する切込基端部５Ａから傾斜して、開封テープ３の内側に位置する切込終端部５Ｂまで達するように形成されている。
切込終端部５Ｂは、図２のＸ−Ｘ断面図である図３に示すように、開封テープ３の内側に形成されている。
包装袋１の開封の手順としては、図４に示すように、開封テープ３の端部側をつまみ上げ、矢印の方向に、引っ張るようにして、引き裂く。ポリエチレンシート１０Ｂ、開封テープ３、ポリエチレンシート１０Ａが重なった部分は、切込終端部５Ｂから平行な方向に、直線的に、引き裂かれる。
包装袋１の製造の手順としては、図５に示すように、あらかじめ、ポリエチレンシート１０Ａ、１０Ｂの間に開封テープ３を挟み込む。この際、ポリエチレンシート１０Ａの開封テープ３の対応する位置には、切欠部４が形成されている。ポリエチレンシート１０Ａ、１０Ｂ、開封テープ３は、ヒートシールバー２０によって、加熱溶着され、ヒートシール部１２が、切欠部４の対応する位置に形成される。
その後、切欠部４内に、２組の切込部５が開封テープ３をまたがるように、ハの字型に形成されている。この際、切込部５は、ハの字型の末広がり同士が、対向するように形成されている。
さらに、カットバー３０によって、ポリエチレンシート１０Ｂ、開封テープ３、ポリエチレンシート１０Ａが重なった部分は、２組の切込部５の間を切断される。
以上の工程を経て、２組の切欠部４、切込部５が形成されているポリエチレンシート１０Ｂ、開封テープ３、ポリエチレンシート１０Ａの積層体に、図示しているヒートシール部１２の直交する２辺に、ヒートシール部を形成すれば、包装袋となる。
上述のような本実施形態によれば、次のような効果がある。
（１）開封テープ３の端部側には、開封テープ３の端縁に対して傾斜した開封テープ３の内側に達する切込部５が形成されていることにより、包装袋１の開封時に切込部５をそのままつまみ部分として把持することができるので、手による切断開封を容易に行うことができる。
また、切込部５が傾斜していることにより、開封テープ３の貼着の位置が多少ずれていても、包装袋１のポリエチレンシート１０Ｂの面と開封テープ３に確実に切込部５を形成することができる。
さらに、包装袋１の内側の一方の面に、開口部２に平行に貼着される帯状の開封テープ３を備えて構成されることにより、ミシン目等を設ける構造でないため、外部との隙間が生じないので、包装袋１の開封前の密封性を確実にすることができる。
（２）包装袋１の開封テープ３の端部側には、開封テープ３の貼着面の反対側の面に切欠部４が形成されていることにより、切欠部４がある部分は、開封テープ３と包装袋１のポリエチレンシート１０Ａの面だけになるから、切欠部４は薄くなるので、容易に、切込部５を起こすことができる。
（３）開封テープ３は、長尺方向に一軸延伸加工されていることにより、引き裂きの指向性が強くなるので、開封テープ３の長尺方向に沿って直線的に開封することができる。
なお、本発明は前記実施形態に限定されるものではなく、本発明の目的を達成できる範囲での変形、改良は、本発明に含まれるものである。例えば、切込部５としては、開封テープ３の外側に位置する切込基端部５Ａから傾斜して、開封テープ３の内側に位置する切込終端部５Ｂを形成していたが、これに限られず、切込部５は、切込基端部５Ａが、開封テープ３の内側に位置していてもよい。
この場合、切込部５は傾斜していなくてもよく、例えば図６に示すように、一対が互いに平行であってもよい。
また、切欠部４および切込部５は、開封テープ３の両端にそれぞれ形成されていたが、何れか片方（つまり図１の袋の左右何れかの側だけ）でもよい。
一対の切込部５は形成されないとしてもよく、切欠部４により一方のポリエチレンシート１０Ｂおよび開封テープ３だけが掴める状態になるので、この部分を把持性して容易に切り裂きを開始することができる。
開封テープ３は前記実施形態のような幅のあるものに限らず、幅の狭いものであってもよく、引き裂きガイド効果が得られる引っ張り強度がえられれば細い紐状のものであってもよい。
さらに、咬合具１１は、前記実施形態では、開口部２側に貼着されて設けられていたが、設けなくともよい。この場合、使い捨ての包装袋として好適である。  また、開封テープ３は、前記実施形態では、ポリエチレン製であったが、これに限られず、ポリプロピレン製であってもよい。
その他、本発明を実施する際の具体的な構造および形状等は、本発明の目的を達成できる範囲内で他の構造等としてもよい。
産業上の利用可能性
本発明は、食品、医薬品等を包装する包装袋として利用でき、特に開口部側に開封を容易にした開封テープ付密封袋として利用できる。
【図面の簡単な説明】
図１は本発明の一実施形態を示す包装袋の平面図である。
図２は前記実施形態における包装袋の拡大平面図である。
図３は前記図２の包装袋のＸ−Ｘ断面図である。
図４は前記実施形態における包装袋の開封手順を示す図である。
図５は前記実施形態における包装袋の製造手順を示す図である。
図６は本発明の他の実施形態を示す包装袋の平面図である。
【図１】
2003051729.tif 000003
【図２】
2003051729.tif 000004
【図３】
2003051729.tif 000005
【図４】
2003051729.tif 000006
【図５】
2003051729.tif 000007
【図６】
2003051729.tif 000008
【国際調査報告】
2003051729.tif 000009
2003051729.tif 000010
2003051729.tif 000011
2003051729.tif 000012